(57)【特許請求の範囲】
【請求項１】
電話回線を介してデータの通信が可能であって、発信側の電話番号を受信側に通知する発信電話番号通知サービスに対応していない端末が後位に接続されたデータ通信装置において、
電話回線を介して受信された受信データが前記データ通信装置及び後位の端末のいずれかで処理されるように受信データの入力経路を切り替え可能な第１の切替手段と、
前記第１の切替手段の後位に接続され、該第１の切替手段を介して送られてきた受信データが後位の端末に入力されるか否かを切り替え可能な第２の切替手段と、
電話回線を介して受信されたデータから発信電話番号の情報に遅れて交換機から送出される呼出し信号を検出する信号検出手段と、
前記発信電話番号通知サービス下において、前記第１の切替手段により受信データが後位の端末で処理されるように入力経路が切り替えられる後位の端末優位の場合、前記信号検出手段により呼出し信号が検出されたときのみ受信データが後位の端末に入力されるように第２の切替手段を切り替える制御手段と、
を備えたことを特徴とするデータ通信装置。
【請求項２】
前記信号検出手段は、
前記発信電話番号通知サービス下において発信電話番号の情報に先立って交換機から送出される起動信号及び前記呼出し信号を各々検出すると共に、
前記制御手段は、
後位の端末優位となったとき受信データが後位の端末に入力されないように第２の切替手段を切り替え、前記信号検出手段により起動信号が検出されてから所定時間経過以内に前記信号検出手段による呼出し信号の検出を開始し、該呼出し信号が検出されたとき受信データが後位の端末に入力されるように第２の切替手段を切り替える
ことを特徴とする請求項１のデータ通信装置。
【請求項３】
電話回線を介してデータ通信可能であり、後位に端末が接続されると共に、発信側の電話番号を受信側に通知する発信電話番号通知サービスに対応していないデータ通信装置において、
電話回線を介して受信された受信データが前記データ通信装置及び後位の端末のいずれかで処理されるように受信データの入力経路を切り替え可能な第１の切替手段と、
前記第１の切替手段の後位に接続され、該第１の切替手段を介して送られてきた受信データが後位の端末に入力されるか否かを切り替え可能な第２の切替手段と、
電話回線を介して受信されたデータから発信電話番号の情報に遅れて交換機から送出される呼出し信号と、前記発信電話番号通知サービス下において発信電話番号の情報に先立って交換機から送出される起動信号とを検出する信号検出手段と、
前記発信電話番号通知サービス下において、前記第１の切替手段により受信データが後位の端末で処理されるように入力経路が切り替えられる後位の端末優位の場合、受信データが後位の端末に入力されないように第２の切り替え手段を切り替え、前記信号検出手段により起動信号が検出されたとき前記第１の切替手段をデータ通信装置側に切り替え、所定時間経過後に第１の切替手段を後位の端末側に切り替え、前記信号検出手段により呼出し信号が検出されたとき受信データが後位の端末に入力されるように第２の切替手段を切り替える制御手段と、
を備えたことを特徴とするデータ通信装置。
【請求項４】
電話回線を介してデータの通信が可能であって、発信側の電話番号を受信側に通知する発信電話番号通知サービスに対応していない端末が後位に接続されたデータ通信装置において、
電話回線を介して受信された受信データが前記データ通信装置及び後位の端末のいずれかで処理されるように受信データの入力経路を切り替え可能な第１の切替手段と、
前記第１の切替手段の後位に接続され、該第１の切替手段を介して送られてきた受信データが後位の端末に入力されるか否かを切り替え可能な第２の切替手段と、
電話回線を介して受信されたデータから発信電話番号の情報に遅れて交換機から送出される呼出し信号と、前記発信電話番号通知サービス下において発信電話番号の情報に先立って交換機から送出される起動信号とを検出する信号検出手段と、
前記発信電話番号通知サービス下において、前記第１の切替手段により受信データが後位の端末で処理されるように入力経路が切り替えられる後位の端末優位の場合、受信データが後位の端末に入力されるように前記第２の切替手段を切り替え、前記信号検出手段が起動信号を検出したとき直ちに受信データが後位の端末に入力されないように第２の切替手段を切り替え、前記信号検出手段により呼出し信号が検出されたとき受信データが後位の端末に入力されるように第２の切替手段を切り替える制御手段と、
を備えたことを特徴とするデータ通信装置。
【請求項５】
電話回線を介してデータ通信可能であり、後位に端末が接続されると共に、発信側の電話番号を受信側に通知する発信電話番号通知サービスに対応していないデータ通信装置において、
電話回線を介して受信された受信データが前記データ通信装置及び後位の端末のいずれかで処理されるように受信データの入力経路を切り替え可能な第１の切替手段と、
前記第１の切替手段の後位に接続され、該第１の切替手段を介して送られてきた受信データが後位の端末に入力されるか否かを切り替え可能な第２の切替手段と、
電話回線を介して受信されたデータから発信電話番号の情報に遅れて交換機から送出される呼出し信号と、前記発信電話番号通知サービス下において発信電話番号の情報に先立って交換機から送出される起動信号とを検出する信号検出手段と、
前記発信電話番号通知サービス下において、前記第１の切替手段により受信データが後位の端末で処理されるように入力経路が切り替えられる後位の端末優位の場合、受信データが後位の端末に入力されるように前記第２の切替手段を切り替え、前記信号検出手段により起動信号が検出されたとき直ちに受信データが後位の端末に入力されないように前記第２の切替手段を切り替えると共に前記第１の切替手段をデータ通信装置側に切り替え、所定時間経過後に第１の切替手段を後位の端末側に切り替え、前記信号検出手段により呼出し信号が検出されたとき受信データが後位の端末に入力されるように第２の切替手段を切り替える制御手段と、
を備えたことを特徴とするデータ通信装置。
【発明の詳細な説明】
【０００１】
【発明の属する技術分野】
本発明は、電話回線を介してデータの通信を行うデータ通信装置に係り、特に、発呼側の電話番号を通知するサービス下で、本サービスに対応していない端末を用いた場合に生じるデータ通信の支障を防止したデータ通信装置に関する。
【０００２】
【従来の技術】
従来より、電話交換局の交換機から発呼側の電話番号（発信電話番号）を表すデータを受話側の電話機に通知するサービス（以下「発信電話番号通知サービス」という）が検討され、本格的に実施されようとしている。
【０００３】
そして、この発信電話番号通知サービスに対応することを目的として、以下のような技術が提案されている。
【０００４】
特開平４−３３４２４５号公報には、電話端末へ着信する度に発呼者の電話番号を順次格納すると共にディスプレイに表示させ、表示させた発信電話番号の中でオペレータにより指定された電話番号を読み出し発信する技術が開示されている。
【０００５】
また、特開平５−３４７６５９号公報には、電話回線を介して交換機から入力されるリング信号及び発信電話番号を検出し、受話側端末がリング信号に応答したか否かの別に応じて発信電話番号を区別して表示させる技術が開示されている。この技術によれば、応答していない再発呼すべき発信電話番号が直ちに判定できるという利点がある。
【０００６】
いずれの技術も、それらの機能は主に受信した発信電話番号を表示したり、記憶して再発呼に利用する点が特徴的である。
【０００７】
ここで、発信電話番号通知サービスにおける交換機と受信側端末（電話端末、ファクシミリ装置等）との接続動作の流れを図９を用いて説明する。なお、図９の接続動作の流れと共に、この接続動作に対応した発信電話番号通知サービスの通信シーケンスを図１０に示しておく。
【０００８】
交換機７４と受信側端末７６は、Ｌ１信号（電池）及びＬ２信号（情報）を通過させる信号線で結合されており、図９（ａ）に示すように、発呼者からの発呼が無い状態（監視状態）では、Ｌ１が＋、Ｌ２信号が−の極性に保持されている。
【０００９】
発信者からデータ通信装置７６へ発呼があると、交換機７４は、監視状態（図９（ａ））でのＬ１、Ｌ２信号の極性（Ｌ１（＋）、Ｌ２（−））を反転させてＬ１（−）、Ｌ２（＋）とし、極性反転から一定時間以上経過後にＩＤ受信端末起動信号（ＣＡＲ信号）を受信側端末７６へ送出する（図９（ｂ））。このＣＡＲ信号によって、受信側端末は、この後に交換機７４から発信者電話番号等の情報が転送されてくることを知る。
【００１０】
ＣＡＲ信号の電気的条件は、以下の通りとなる。
周波数    ：  １５Ｈｚ以上２０Ｈｚ以下
送出電力  ：  交流７５Ｖｒｍｓ
キャダンス：  ０．５秒ＯＮ、ＯＦＦの繰り返し
次に、ＣＡＲ信号を受信すると、受信側端末７６はＣＡＲ信号を受信したことを知らせる１次応答信号を交換機７４へ送る（図９（ｃ））。この１次応答信号の送出は、受信側端末がＬ１−Ｌ２間のループを形成することによってなされる。なお、Ｌ１−Ｌ２間のループの形成は、受信側端末の受話器を持ち上げるフックオフ（Hook-off）の動作に対応している。
【００１１】
受信側端末がフックオフによりＣＡＲ信号の受信を知らせると、交換機７４は、発呼者番号を含む発信電話情報をいわゆるＩＴＵ−Ｔ勧告Ｖ．２３に準拠したモデム信号で受信側端末に送出する（図９（ｄ））。
【００１２】
次に、受信側端末は、発信電話情報を受信完了すると、Ｌ１−Ｌ２間のループを切断することにより受信完了信号を交換機７４に送る（図９（ｅ））。なお、１１−Ｌ２間のループの切断は、受信側端末の受話器を本体に置くフックオン（Hook-on ）の動作に対応している。
【００１３】
交換機７４は、受信側端末７６からの受信完了信号（フックオン）を検出すると、呼出し信号（ＩＲ信号）を送出する（図９（ｇ））。ＩＲ信号は、通常の呼出し信号と全く同一の信号であり、その電気的条件は以下の通りとなる。
【００１４】
周波数    ：  １５Ｈｚ以上２０Ｈｚ以下
送出電力  ：  交流７５Ｖｒｍｓ
キャダンス：  １秒ＯＮ、２秒ＯＦＦの繰り返し
すなわち、ＩＲ信号とＣＡＲ信号とは、繰り返される信号ＯＮ、ＯＦＦのパターン（キャダンス）において、ＯＮとされる時間とＯＦＦとされる時間が異なるが、周波数及び送出電力が同じ信号である。なお、以下では、ＩＲ信号及びＣＡＲ信号の総称を１６Ｈｚ信号という。
【００１５】
受信側端末７６は、ＩＲ信号を検出すると、該端末が電話機の場合にはベル音を鳴らし、ユーザが受話器を取ると（フックオフ）、Ｌ１−Ｌ２間が接続され、これにより２次応答信号が交換機７４に送られる（図９（ｈ））。また、受信側端末７６がファクシミリの場合、ＩＲ信号を検出すると、自動的にフックオフしてＬ１−Ｌ２間を接続し、これにより２次応答信号が交換機７４に送られる（図９（ｈ））。そして、発信側との通信（通話）を開始することができる（図９（ｉ））。
【００１６】
なお、図９及び図１０の通信シーケンスと異なる応答をした場合でも、以下の継続条件▲１▼、▲２▼に該当する場合には、この通信シーケンスが継続される。
【００１７】
継続条件▲１▼  ：
受信側端末７６が極性反転から所定時間Ｔ1 （６秒）以内にＣＡＲ信号に応答してフックオフしなかった場合、交換機７４はＣＡＲ信号の送出を止め、通常の呼出し信号を送出する。そして、これ以降は通常の通信／通話動作が実行される。
【００１８】
継続条件▲２▼  ：
受信側端末７６がモデム信号受信に失敗した場合でも、モデム信号送出時から所定時間Ｔ2 （７秒）以内に受信側端末７６がフックオンすれば、発信電話番号通知サービスのシーケンスは継続して行われる。
【００１９】
以上、図９及び図１０に示したように、発信電話番号通知サービスが実施されているときに実際に電話番号が受信側に通知されるためには、受信側で発信側との通話（通信）に先立って、ＩＴＵ−Ｔ勧告Ｖ．２３に準拠したモデム信号により交換機と通信を行うことが必要となる。従って、受信側では交換機との電話番号受信のための通信と発呼側との通話と２度の通信を行うことになる。すなわち、受信側は、呼出しのために２度の信号を受信する。最初の信号は交換機とモデム信号をやり取りする前に受信するＣＡＲ信号、そして次の信号は発信者側と通話（通信）するためのＩＲ信号である。
【００２０】
【発明が解決しようとする課題】
しかしながら、上記従来の技術では、ユーザが発信電話番号通知サービスを契約し、本サービスに対応していない端末を単独で使用或いは本サービスに対応した端末と併用した場合、本サービスに対応していない端末では、通信・通話が一切できなくなるおそれがある、という問題がある。
【００２１】
すなわち、発信電話番号通知サービスに対応していないデータ端末では、最初に受信するＣＡＲ信号をＩＲ信号であると誤検出してしまい、交換機からのＩＴＵ−Ｔ勧告Ｖ．２３モデム信号を無視してデータ通信を行うことにより、通信が不可能となるというものである。
【００２２】
そして、発信電話番号通知サービスを契約したときに上記のような通信不能を防止するには、本サービスを契約した電話番号で使用される端末をすべて本サービス対応のものに交換しなければならず、必然的にハードウェアの交換や変更などを招く。例えば、一般の電話機を本サービスに対応させるためには、この電話機と電話回線との間に本サービスに対応するアダプターを介在させるか或いは電話機自体を本サービスに対応したものに交換する必要がある。また、パーソナルコンピュータやファクシミリなどのデータ端末を本サービスに対応させるには、ＩＴＵ−Ｔ勧告Ｖ．２３に準拠したモデム信号に対応したモデムに変更する必要がある。
【００２３】
このようなハードウェアの増設、変更は、２以上の端末を用いる際にユーザにとって負担となる。また、特に２つの端末を併用する場合、例えば本サービスに対応している端末を後段に接続し本サービスに対応していない端末を前段に接続して２つのデータ端末を併用した場合、後段のデータ端末が本サービスに対応していたとしても前段のデータ端末が先に電話回線を補足し、データ通信を行おうとするため２つのデータ端末とも通信・通話ができなくなる、という問題が生じる。
【００２４】
本発明は、上記事実に鑑みなされたもので、発信電話番号通知サービスに対応していないデータ端末を使用した場合、特に、本サービスに対応している端末と対応していない端末とを混在で使用する場合においても、本サービス下でハードウェアの追加変更を最小限度に抑え、通信・通話を可能としたデータ通信装置を提供することを目的とする。
【００２５】
【課題を解決するための手段】
上記目的を達成するために、請求項１の発明は、電話回線を介してデータの通信が可能であって、発信側の電話番号を受信側に通知する発信電話番号通知サービスに対応していない端末が後位に接続されたデータ通信装置において、電話回線を介して受信された受信データが前記データ通信装置及び後位の端末のいずれかで処理されるように受信データの入力経路を切り替え可能な第１の切替手段と、前記第１の切替手段の後位に接続され、該第１の切替手段を介して送られてきた受信データが後位の端末に入力されるか否かを切り替え可能な第２の切替手段と、電話回線を介して受信されたデータから発信電話番号の情報に遅れて交換機から送出される呼出し信号を検出する信号検出手段と、前記発信電話番号通知サービス下において、前記第１の切替手段により受信データが後位の端末で処理されるように入力経路が切り替えられる後位の端末優位の場合、前記信号検出手段により呼出し信号が検出されたときのみ受信データが後位の端末に入力されるように第２の切替手段を切り替える制御手段と、を備えたことを特徴とする。
【００２６】
請求項１の発明では、制御手段が、発信電話番号通知サービス下において、後位の端末優位の場合、信号検出手段により呼出し信号が検出されたときのみ受信データが後位の端末に入力されるように第２の切替手段を切り替える。
【００２７】
まず発信電話番号通知サービス下における通信シーケンスの概略を説明する。本サービス下では、発信側から受信側へ発呼があると、発信電話番号の情報に先立って以下で述べる起動信号（ＣＡＲ信号）が送出される。ＣＡＲ信号に受信側がフックオフで応答した場合、交換機は、発信電話番号の情報を受信側へ送出する。受信側が発信電話番号の情報を受信してフックオンで応答した後に、交換機は呼出し信号（ＩＲ信号）を受信側に送出する。起動信号と呼出し信号は、同じ周波数帯（１５Ｈｚ〜２０Ｈｚ）にあるため、本サービスに対応していない端末では、起動信号を呼出し信号であると誤認識し、通信不能に陥るおそれがある。
【００２８】
請求項１の発明では、データ通信装置の後位に発信電話番号通知サービスに対応していない端末を接続した場合を想定し、制御手段が、後位の端末優位の場合、信号検出手段により呼出し信号が検出されたときのみ受信データが後位の端末に入力されるように第２の切替手段を切り替える。すなわち、第２の切替手段は、交換機から起動信号が送出されたときは第１の切替手段から送られてきた信号が端末に入力されないように切り替えられ、呼出し信号が送出されたときにのみ受信データが端末に入力されるように切り替えられる。これにより、起動信号が本サービスに対応していない後位の端末に入力されて通信不能となるおそれを回避できる。ここで、第２の切替手段は、簡単なリレーなどで構成することができるため、ハードウェアの追加変更を抑えることができる。なお、本発明では、起動信号に応答してフックオフで応答していないが、この場合でも、交換機は起動信号送出から所定時間以内に呼出し信号を送出するので（上記継続条件▲１▼）、通信シーケンスは継続され、次に送出される呼出し信号のみが後位の端末に入力される。
【００２９】
また、請求項２の発明は、請求項１の前記信号検出手段が、前記発信電話番号通知サービス下において発信電話番号の情報に先立って交換機から送出される起動信号及び前記呼出し信号を各々検出すると共に、請求項１の前記制御手段が、後位の端末優位となったとき受信データが後位の端末に入力されないように第２の切替手段を切り替え、前記信号検出手段により起動信号が検出されてから所定時間経過以内に前記信号検出手段による呼出し信号の検出を開始し、該呼出し信号が検出されたとき受信データが後位の端末に入力されるように第２の切替手段を切り替えることを特徴とする。
【００３０】
請求項２の発明は、起動信号に対して受信側で応答がなかった場合に呼出し信号が送出されるタイミング（継続条件▲１▼のタイミング）で呼出し信号の検出を開始するので、確実に呼出し信号の検出を行うことができる。
【００３１】
さらに、請求項３の発明は、電話回線を介してデータ通信可能であり、後位に端末が接続されると共に、発信側の電話番号を受信側に通知する発信電話番号通知サービスに対応していないデータ通信装置において、電話回線を介して受信された受信データが前記データ通信装置及び後位の端末のいずれかで処理されるように受信データの入力経路を切り替え可能な第１の切替手段と、前記第１の切替手段の後位に接続され、該第１の切替手段を介して送られてきた受信データが後位の端末に入力されるか否かを切り替え可能な第２の切替手段と、電話回線を介して受信されたデータから発信電話番号の情報に遅れて交換機から送出される呼出し信号と、前記発信電話番号通知サービス下において発信電話番号の情報に先立って交換機から送出される起動信号とを検出する信号検出手段と、前記発信電話番号通知サービス下において、前記第１の切替手段により受信データが後位の端末で処理されるように入力経路が切り替えられる後位の端末優位の場合、受信データが後位の端末に入力されないように第２の切り替え手段を切り替え、前記信号検出手段により起動信号が検出されたとき前記第１の切替手段をデータ通信装置側に切り替え、所定時間経過後に第１の切替手段を後位の端末側に切り替え、前記信号検出手段により呼出し信号が検出されたとき受信データが後位の端末に入力されるように第２の切替手段を切り替える制御手段と、を備えたことを特徴とする。
【００３２】
請求項３の発明では、データ通信装置が発信電話番号通知サービスに対応していない場合を想定し、受信側のデータ通信装置が起動信号に対してフックオフで１次応答し、たとえ発信電話番号の情報の受信に失敗しても、所定時間後にフックオンによる２次応答をした場合には通信シーケンスは継続されるという条件（上記継続条件▲２▼）を満足させるものである。
【００３３】
すなわち、請求項３の発明では、制御手段が、後位の端末優位の場合、受信データが後位の端末に入力されないように第２の切り替え手段を切り替え、第２の信号検出手段により起動信号が検出されたとき第１の切替手段をデータ通信装置側に切り替えることによりフックオフによる１次応答を実行する。次に、所定時間経過後に第１の切替手段を後位の端末側に切り替えることによりフックオンによる２次応答を実行する。データ通信装置は発信電話番号情報サービスに対応していないため、発信電話番号の受信は失敗するが、擬似的な通信シーケンスを実行するので、次に呼出し信号が送出されるという通信シーケンスは継続される。そして、第１の信号検出手段により呼出し信号が検出されたとき受信データが後位の端末に入力されるように第２の切替手段を切り替える。
【００３４】
このように本発明では、データ通信装置が発信電話番号通知サービスに対応していない場合であっても、擬似的な通信シーケンスを実行することができるので、後位の端末と共に通信不能を防止することができる。ここで、第１及び第２の切替手段は、簡単なリレーなどで構成することができるため、ハードウェアの追加変更を抑えることができる。なお、本発明では、後位の端末が本サービスに対応、非対応に係わらず通信の不能を防止することができる。
【００３５】
また、請求項４の発明は、電話回線を介してデータの通信が可能であって、発信側の電話番号を受信側に通知する発信電話番号通知サービスに対応していない端末が後位に接続されたデータ通信装置において、電話回線を介して受信された受信データが前記データ通信装置及び後位の端末のいずれかで処理されるように受信データの入力経路を切り替え可能な第１の切替手段と、前記第１の切替手段の後位に接続され、該第１の切替手段を介して送られてきた受信データが後位の端末に入力されるか否かを切り替え可能な第２の切替手段と、電話回線を介して受信されたデータから発信電話番号の情報に遅れて交換機から送出される呼出し信号と、前記発信電話番号通知サービス下において発信電話番号の情報に先立って交換機から送出される起動信号とを検出する信号検出手段と、前記発信電話番号通知サービス下において、前記第１の切替手段により受信データが後位の端末で処理されるように入力経路が切り替えられる後位の端末優位の場合、受信データが後位の端末に入力されるように前記第２の切替手段を切り替え、前記信号検出手段が起動信号を検出したとき直ちに受信データが後位の端末に入力されないように第２の切替手段を切り替え、前記信号検出手段により呼出し信号が検出されたとき受信データが後位の端末に入力されるように第２の切替手段を切り替える制御手段と、を備えたことを特徴とする。
【００３６】
請求項４の発明では、制御手段が、後位の端末優位の場合、受信データが後位の端末に入力されるように第２の切替手段を切り替える。これにより、後位の端末と電話回線とが接続され、後位の端末は、電話回線から供給される電源を用いることができる。そして、第２の信号検出手段が起動信号を検出したとき直ちに受信データが後位の端末に入力されないように第２の切替手段を切り替え、起動信号が後位の端末に入力されることによる誤動作を防止する。そして、第１の信号検出手段により呼出し信号が検出されたとき受信データが後位の端末に入力されるように第２の切替手段を切り替える。なお、請求項４の発明は、請求項１及び請求項２の発明と共に、上記継続条件▲１▼を満足させるものである。
【００３７】
このように本発明では、起動信号が本サービスに対応していない後位の端末に入力されて通信不能となるおそれを回避すると共に、後位の端末において電話回線からの電源を利用する。これにより、後位の端末のフックオン、フックオフを検出する手段などの電源を省略でき、ハードウェアの追加変更をさらに抑えることができる。
【００３８】
また、請求項５の発明は、電話回線を介してデータ通信可能であり、後位に端末が接続されると共に、発信側の電話番号を受信側に通知する発信電話番号通知サービスに対応していないデータ通信装置において、電話回線を介して受信された受信データが前記データ通信装置及び後位の端末のいずれかで処理されるように受信データの入力経路を切り替え可能な第１の切替手段と、前記第１の切替手段の後位に接続され、該第１の切替手段を介して送られてきた受信データが後位の端末に入力されるか否かを切り替え可能な第２の切替手段と、電話回線を介して受信されたデータから発信電話番号の情報に遅れて交換機から送出される呼出し信号と、前記発信電話番号通知サービス下において発信電話番号の情報に先立って交換機から送出される起動信号とを検出する信号検出手段と、前記発信電話番号通知サービス下において、前記第１の切替手段により受信データが後位の端末で処理されるように入力経路が切り替えられる後位の端末優位の場合、受信データが後位の端末に入力されるように前記第２の切替手段を切り替え、前記信号検出手段により起動信号が検出されたとき直ちに受信データが後位の端末に入力されないように前記第２の切替手段を切り替えると共に前記第１の切替手段をデータ通信装置側に切り替え、所定時間経過後に第１の切替手段を後位の端末側に切り替え、前記信号検出手段により呼出し信号が検出されたとき受信データが後位の端末に入力されるように第２の切替手段を切り替える制御手段と、を備えたことを特徴とする。
【００３９】
請求項５の発明では、制御手段が、後位の端末優位の場合、受信データが後位の端末に入力されるように第２の切替手段を切り替える。これにより、後位の端末と電話回線とが接続され、後位の端末は、電話回線から供給される電源を用いることができる。そして、第２の信号検出手段により起動信号が検出されたとき直ちに受信データが後位の端末に入力されないように第２の切替手段を切り替える。これにより、後位の端末が本サービスに対応していない場合でも起動信号が後位の端末に入力されることによる誤動作を防止できる。そして、起動信号の検出と共に第１の切替手段をデータ通信装置側に切り替えることによりフックオフによる１次応答を実行する。次に、所定時間経過後に第１の切替手段を後位の端末側に切り替えることによりフックオンによる２次応答を実行する。データ通信装置は発信電話番号情報サービスに対応していないため、発信電話番号の受信は失敗するが、擬似的な通信シーケンスを実行するので、次に呼出し信号が送出されるという通信シーケンスは継続される。そして、第１の信号検出手段により呼出し信号が検出されたとき受信データが後位の端末に入力されるように第２の切替手段を切り替える。
【００４０】
このように本発明では、データ通信装置が発信電話番号通知サービスに対応していない場合であっても、擬似的な通信シーケンスを実行することができるので、後位の端末と共に通信不能を防止することができる。ここで、第１及び第２の切替手段は、簡単なリレーなどで構成することができるため、ハードウェアの追加変更を抑えることができ、さらに後位の端末において電話回線からの電源を利用しているため、後位の端末のフックオン、フックオフを検出する手段などの電源を省略でき、ハードウェアの追加変更をさらに抑えることができる。
【００４１】
【発明の実施の形態】
以下、図面を参照して本発明に係る実施の形態を説明する。
【００４２】
（第１の実施の形態）
図１に、第１の実施の形態に係るデータ通信装置のシステム構成例を示す。同図が示すように、第１の実施の形態に係るデータ通信装置のシステムは、上記発信電話番号通知サービスに対応したデータ通信装置（ファクシミリ装置）１０を前段に接続し、発信電話番号通知サービスに対応していない外付け電話機３８をデータ通信装置１０の後位に接続してなるものである。
【００４３】
ファクシミリ装置としてのデータ通信装置１０は、所定のプログラムに基づいて装置全体の管理・制御及びタイマーによる時間の計測を行うＣＰＵ１２と、このＣＰＵ１２のプログラムを格納する不揮発性メモリのＲＯＭ１４と、ＣＰＵ１２のデータの一時記憶用メモリとして用いられると共に受信データのバッファとして用いられるＲＡＭ１６と、必要となるデータを表示すると共にデータ入力手段として用いられるパネル表示部１８と、を備え、各々がデータや命令を伝達するためのバス２０に接続されている。なお、パネル表示部１８には、データ通信装置１０をフックオフするためのフックボタン１７が備えられている。
【００４４】
また、バス２０には、電話回線を介して送受信されたデータの通信を制御する通信制御部２２が接続されており、通信制御部２２は、電話回線を介して受信されたアナログデータをデジタルデータに変換すると共に送信するデジタルデータを電話回線用のアナログデータに変換するモデム２４と接続されている。また、モデム２４は、本実施の形態に係る後述する切替処理を行う電話回線インターフェース装置３６を介して電話回線と接続されている。この電話回線インターフェース装置３６は、電話回線、モデム２４以外に外付け電話機３８及びＣＰＵ１２と接続されており、ＣＰＵ１２の指令に応じて接続態様の切替えを行う。
【００４５】
さらに、バス２０には、送信データの圧縮及び受信データの復元を行う情報圧縮復元部２６と、記録画像の処理を行う記録処理部３０と、読取画像の処理を行う読取処理部３４と、が接続されている。
【００４６】
記録処理部３０には、受信データの画像を用紙に記録する記録走査部２８が接続されており、この記録処理部３０は、ＲＡＭ１６に格納されているた受信データを読み出して記録走査部２８に転送する際のインターフェースを制御する。また、読取処理部３４には、送信原稿の画像を走査して読み取る読取走査部３２が接続されており、この読取処理部３４は、読み取られた画像をデジタル画像データに変換すると共に該データをＲＡＭ１６に転送する際の出力インターフェースを制御する。
【００４７】
次に、電話回線インターフェース装置３６の詳細な構成を図２に示す。
図２に示すように、電話回線インターフェース装置３６は、電話回線をモデム２４及び外付け電話機３８のいずれかに接続するための第１の切替手段５０を備えている。第１の切替手段５０は、電話回線からのＬ１、Ｌ２信号が入力される入力端子を備えると共に、モデム２４に接続されているＯＮ側の出力端子及び外付電話機３８へ至るＯＦＦ側の出力端子を備えており、入力端子をＯＮ側及びＯＦＦ側のいずれかの出力端子に接続されるように切り替え可能とされている。すなわち、第１の切替手段５０をＯＮにすると電話回線がモデム２４と接続されてファクシミリ装置１０と通信可能となり、第１の切替手段５０をＯＦＦにすると電話回線が外付け電話機３８と接続可能となり、外付電話機３８による通話が可能となる。
【００４８】
また、第１の切替手段５０のＯＦＦ側の出力端子は、第２の切替手段５２のＯＦＦ側の出力端子と接続されている。第２の切替手段５２は、第１の切替手段５０がＯＦＦのときに実際に外付電話機３８を電話回線へ接続するか否かを切り替える手段であり、その入力端子は外付電話機３８へ接続され、ＯＮ側の出力端子は、２４Ｖ（ボルト）給電回路７２に接続されている。そして、第２の切替手段５２は入力端子をＯＮ側及びＯＦＦ側のいずれかの出力端子に接続されるように切り替え可能とされている。すなわち、第２の切替手段５２をＯＦＦにすると第１の切替手段５０がＯＦＦのときに外付電話機３８が電話回線へ接続され、第２の切替手段５２をＯＮにすると外付電話機３８が２４Ｖ給電回路７２に接続される。
【００４９】
第１の切替手段５０及び第２の切替手段５２には、ＣＰＵ１２が接続されており、ＣＰＵ１２の指令に応じてＯＮ、ＯＦＦが切り替え可能とされている。第１の切替手段５０及び第２の切替手段５２は、通常のメカニカルリレーや半導体リレーにより実現することができ、その使用方法は一般に公知である。切替手段としてリレーを使用した場合、ＯＮ、ＯＦＦの切り替えは、ＣＰＵ１２と接続されたトランジスタ或いはリレードライバなどにより駆動される。
【００５０】
さらに、第２の切替手段５２の一方の入力端子と該端子に接続されている外付電話機３８との間には、外付電話機３８がフックオンしているかフックオフしているかを検出するフック検出手段５４が介在されている。このフック検出手段５４として、例えばフォトカプラ或いはホール素子を用いた電流検出器を使用することができる。
【００５１】
すなわち、第２の切替手段５２がＯＦＦにされているときに、外付電話機３８がフックオフされてＬ１−Ｌ２間がループ接続されると電話回線の４８Ｖ電流がフック検出手段５４に流れるが、外付電話機３８がフックオンされてＬ１−Ｌ２間のループが切断されるとフック検出手段５４に電流が流れなくなる。また、第２の切替手段５２がＯＮにされているときに、外付電話機３８がフックオフされてＬ１−Ｌ２間がループ接続されると、２４Ｖ給電回路７２による電流がフック検出手段５４に流れるが、外付電話機３８がフックオフされてＬ１−Ｌ２間のループが切断されると、フック検出手段５４に電流が流れなくなる。このようにフック検出手段５４に電流が流れたか否かを検出することにより、外付電話機３８のフックオン及びフックオフを判定することができる。実際には、この判定は、フック検出手段５４と接続されているＣＰＵ１２が行う。
【００５２】
図２のフック検出手段５４は、第２の切替手段５２の入力端子と外付電話機３８との間に介在されている発光素子５６と、該発光素子５６が発光した光を検出するフォトトランジスタ５８とから構成されている。そして、フォトトランジスタ５８の一方の電極はアース接続され、他方の電極はＣＰＵ１２と接続されている。外付電話機３８がフックオフされると、発光素子５６に電流が流れて発光し、この光を検出したフォトトランジスタ５８が通電するため、ＣＰＵ１２はフック検出手段５４に電流が流れたか否か、すなわち外付電話機３８がフックオフされたか否かを検知することができる。
【００５３】
また、第１の切替手段５０及び第２の切替手段５２のＯＦＦ側の出力端子には、１６Ｈｚ信号（ＣＡＲ信号、ＩＲ信号）を検出する信号検出手段６０が接続されている。信号検出手段６０は、第１の切替手段５０及び第２の切替手段５２の一方のＯＦＦ側の出力端子と他方のＯＦＦ側の出力端子との間に接続されたコンデンサ６２、抵抗６４、及び発光素子６６を備え、さらにこの発光素子６６と並列で逆向きに取り付けられた発光素子６８及びこれらの発光素子の受光位置に配置されたフォトトランジスタ７０を備えている。フォトランジスタ７０の一方の電極はアース接続され、他方の電極はＣＰＵ１２へ接続されている。
【００５４】
この信号検出手段６０では、電話回線から送られてくる信号の交流成分のみが発光素子６６、６８に流れ、いずれかの向きに流れる電流に応じて発光素子６６及び発光素子６８のいずれかの素子が電流値に対応した光量で発光する。そして、フォトトランジスタ７０は、一定以上の光量でいずれかの発光素子が発光したときに通電するので、送られてきた信号の周波数に応じた矩形波がＣＰＵ１２へ出力される。ＣＰＵ１２では、一定時間以内の矩形波の数をカウントすることにより、信号の周波数を検出し、電話回線から送られてきた信号が１６Ｈｚ信号（ＣＡＲ信号、ＩＲ信号）であるか否かを検知することができる。
【００５５】
また、ＣＡＲ信号とＩＲ信号とは、上述のように、繰り返される１つのパターンの中で、信号がＯＮ、ＯＦＦされる時間が各々異なるので、ＣＰＵ１２は、この相違を判定することにより、検出された１６Ｈｚ信号がＣＡＲ信号であるかＩＲ信号であるかを検知することができる。
【００５６】
次に、第１の実施の形態に係るデータ通信装置１０の処理の流れを図３のフローチャートを用いて説明する。なお、以下で説明するフローチャート（図３乃至図８）では、通話優先モードを前提にする。すなわち、データ通信装置１０の電源がＯＮになり発呼があると、第１の切替手段５０をＯＦＦ側に切り替え、電話回線を外付電話機３８に接続可能とする場合を扱う。
【００５７】
図３に示すように、データ通信装置１０の電源がＯＮであるか否かを判定する。データ通信装置１０の電源がＯＮになると（ステップ２００肯定判定）、直ちに第２の切替手段５２をＯＮとする（ステップ２０２）。これにより、通話優先モードでも、外付電話機３８と電話回線とが切断されて、交換機からＣＡＲ信号が送られてきても外付電話機３８には該信号が届かず、誤検出を防止できる。この場合、２４Ｖ給電回路７２が外付電話機３８と接続されて、フック検出手段５４は、２４Ｖ給電回路７２の供給電流によって動作する。
【００５８】
次に、フック検出手段５４が外付電話機３８のフックオフを検出したか否かを判定する（ステップ２０４）。なお、以下でフックオン、フックオフの検出というときは、特に断らない限り、フック検出手段５４による外付電話機３８でのフックオン、フックオフの検出をいうものとする。
【００５９】
フックオフを検出した場合（ステップ２０４肯定判定）、すなわち、ＩＲ信号による呼出しではなくユーザが自発的に外付電話機３８の受話器を持ち上げてフックオフした場合、通話開始のために第２の切替手段５２をＯＦＦとする（ステップ２４２）。このとき、通話優先モードで第１の切替手段５０がＯＦＦにされているので、電話回線と外付電話機３８とが接続される。そして、通話が開始され（ステップ２４８）、通話中にフックオンが検出されると（ステップ２５０肯定判定）、通話終了となって（ステップ２５２）、ステップ２０２に戻り、再び第２の切替手段５２をＯＮとしてＣＡＲ信号が外付電話機３８に届かないようにして同様の処理を繰り返す。
【００６０】
一方、フックオフを検出しない場合（ステップ２０４否定判定）、信号検出手段６０により１６Ｈｚ信号が検出されたか否かを判定する（ステップ２０６）。１６Ｈｚ信号が検出されない場合（ステップ２０６否定判定）、ステップ２０４に戻り、フックオフ検出或いは１６Ｈｚ信号検出まで同様の判定処理を繰り返す。
１６Ｈｚ信号が検出された場合（ステップ２０６肯定判定）、検出された１６Ｈｚ信号が呼出し信号（ＩＲ信号）であるか否かを判定する（ステップ２０８）。ＩＲ信号でない場合（ステップ２０８否定判定）、すなわち、検出された１６Ｈｚ信号がＣＡＲ信号の場合、ステップ２０６に戻って次の１６Ｈｚ信号が検出されるまで同様の処理を繰り返す。
【００６１】
ＣＡＲ信号を検出したとき、本実施の形態のデータ通信装置１０では、第２の切替手段５２をＯＮ側に切り替えており、交換機からみた場合、Ｌ１−Ｌ２間のループが切断されているフックオンの状態に対応している。つまり、データ通信装置１０では、図９（ｃ）のようにＣＡＲ信号に応答してフックオフする、という動作を行わないこととしている。このようにＣＡＲ信号に応答しない場合、上記継続条件▲１▼により交換機はＣＡＲ信号の送出を止めて通常のＩＲ信号を送出するので、本実施の形態では、次に送出されるＩＲ信号を待機する。
【００６２】
次の１６Ｈｚ信号が検出され（ステップ２０６肯定判定）、検出された１６Ｈｚ信号がＩＲ信号であると判定された場合（ステップ２０８肯定判定）、第２の切替手段５２をＯＦＦとする（ステップ２４０）。これにより、電話回線と外付電話機３８が接続され、ＩＲ信号が入力された外付電話機３８のベル音が鳴ることになる。
【００６３】
この状態でフックオフが検出された場合（ステップ２４４肯定判定）、ユーザが呼出し音に応じて外付電話機３８の受話器を取り上げたことを意味しているので、通話が開始され（ステップ２４８）、通話中にフックオンが検出されると（ステップ２５０肯定判定）、通話終了となって（ステップ２５２）、ステップ２０２に戻り、再び第２の切替手段５２をＯＮとしてＣＡＲ信号が外付電話機３８に届かないようにして同様の処理を繰り返す。
【００６４】
電話回線と外付電話機３８が接続された状態でフックオフが検出されない場合（ステップ２４４否定判定）、ＩＲ信号がまだ検出されているか否かを判定する（ステップ２４６）。ＩＲ信号が検出された場合（ステップ２４６肯定判定）、ステップ２４４に戻りフックオフが検出されたか否かを再び判定する。このようにＩＲ信号が検出されている間は外付電話機３８でフックオフがなされたか否かが判定される。しかし、フックオフが検出されないうちにＩＲ信号が検出されなくなった場合（ステップ２４６否定判定）、外付電話機３８の受話器を誰も取り上げなくて発呼が終了しことを意味するので、ステップ２０２に戻り、再び第２の切替手段５２をＯＮとしてＣＡＲ信号が外付電話機３８に届かないようにして同様の処理を繰り返す。
【００６５】
なお、通信優先（ファクシミリ優先）モードのときは、第１の切替手段５０がＯＮ側に切り替えられて、データ通信装置１０が発信者電話番号通知サービスに応じたシーケンスに対応する。
【００６６】
以上のように本実施の形態では、発信者電話番号通知サービスに対応していないデータ端末（外付電話機３８）を用いても、簡単なリレーなどで実現できる第１及び第２の切替手段と、フォトカプラなどで実現できるフック検出手段５４及び信号検出手段６０と、により構成された電話回線インターフェース装置３６を設置するだけで、ＣＡＲ信号の誤検出による通信不能を防止できる。すなわち、高価なサービス対応アダプターを使用したりデータ端末を交換する必要がなくなり、ハードウェアの追加を最小限に抑えることができる。
【００６７】
なお、図３の処理を図４のフローチャートのように実行することもできる。ここで、図４のステップで図３のステップと同様の処理については同一のステップ番号を付して原則として説明を省略し、異なる処理のステップを関連する同一処理のステップと共に説明する。
【００６８】
図４のフローチャートに示すように、検出された１６Ｈｚ信号がＩＲ信号でなく、ＣＡＲ信号の場合（ステップ２０８否定判定）、極性反転から一定時間Ｔ1 （６秒）が経過したか否かを判定する（ステップ２１０）。一定時間Ｔ1 が経過しない間は（ステップ２１０否定判定）、ステップ２１０の判定を繰り返して次の１６Ｈｚ信号検出まで待機する。
【００６９】
極性反転から一定時間Ｔ1 が経過した場合（ステップ２１０肯定判定）、ステップ２０６に戻り、１６Ｈｚ信号が検出されたか否かを判定する。上記継続条件▲１▼により受信側端末が極性反転から時間Ｔ1 以内にＣＡＲ信号に応答してフックオフしなかった場合は、交換機はＩＲ信号を送出することになっているので、このステップ２０６で確実に１６Ｈｚ信号を検出し、次のステップ２０８でＩＲ信号の検出を確実に行うことができる。
【００７０】
なお、本実施の形態では、極性反転から一定時間Ｔ1 経過後にＩＲ信号の検出を開始するようにした（ステップ２１０〜ステップ２０６）が、通信シーケンスでは極性反転からｔ1 （０．１秒以上）経過後にＣＡＲ信号を送出することになっているので、ＣＡＲ信号を検出してから所定時間（Ｔ1 −ｔ1 ）以内にステップ２０６に移行してＩＲ信号の検出を行うようにしても良い。
【００７１】
（第２の実施の形態）
次に、第２の実施の形態を説明する。第２の実施の形態の構成は、第１の実施の形態と同様であるので、同一の符号を付して詳細な説明を省略する。但し、データ通信装置１０が発信電話番号通知サービスに対応していない端末であることを前提にし、ＣＰＵ１２は、モデム２４がモデム信号を受信した時点を検出する機能を有するとする。
【００７２】
第２の実施の形態に係るデータ通信装置の処理の流れを図５のフローチャートを用いて説明する。図５の処理は、データ通信装置がＩＴＵ−Ｔ勧告Ｖ．２３に対応していない場合に発信電話番号通知サービス下において、擬似的に本サービスのシーケンスを実行するものであり、継続条件▲２▼を満足させるものである。なお、図５のステップで図３のステップと同様の処理については同一のステップ番号を付して原則として説明を省略し、異なる処理のステップを関連する同一処理のステップと共に説明する。
【００７３】
図５のフローチャートが示すように、検出された１６Ｈｚ信号がＩＲ信号でなく、ＣＡＲ信号の場合（ステップ２０８否定判定）、第１の切替手段をＯＮとする（ステップ２１２）。すなわち、電話回線をデータ通信装置１０のモデム２４と接続する。このとき、モデム２４は、Ｌ１−Ｌ２間のループを形成する。これは、ＣＡＲ信号に応答してデータ通信装置１０がフックオフしたこと（図９（ｃ）参照）と等価であるので、交換機は、発信電話番号情報をデータ通信装置１０へ送出する（図９（ｄ）参照）。データ通信装置１０のモデム２４は、ＩＴＵ−Ｔ勧告Ｖ．２３に対応していないので、当然、モデム信号の受信は失敗する。
【００７４】
しかし、データ通信装置１０は、モデム信号受信から所定時間Ｔ2 （７秒）が経過するまで待機し（ステップ２１４否定判定）、所定時間Ｔ2 が経過したとき（ステップ２１４肯定判定）、第１の切替手段５０をＯＦＦとする（ステップ２１６）。このとき、第２の切替手段５２はＯＮとなっているので、Ｌ１−Ｌ２間のループが切断される。これは、発信電話番号情報の受信完了信号と等価である（図９（ｅ）参照）ので、モデム信号受信に失敗しても継続条件▲２▼を満足し、交換機からＩＲ信号が送出される（図９（ｇ）参照））。
【００７５】
すなわち、次にＩＲ信号が確実にくるので、ステップ２０６で１６Ｈｚ信号を検出し、ステップ２０８で検出された１６Ｈｚ信号がＩＲ信号であると判定され、ステップ２４０で第２の切替手段５２をＯＦＦとして、電話回線と外付電話機３８とを接続する。
【００７６】
以上のように第２の実施の形態では、発信電話番号通知サービス下において、擬似的に本サービスのシーケンスを実行することにより、本サービスに対応していないデータ端末でも通信不能を防止できる。また、ハードウェア構成も、第１の実施の形態と同様に簡単なリレーなどで実現できる第１及び第２の切替手段と、フォトカプラなどで実現できるフック検出手段５４及び信号検出手段６０と、により構成された電話回線インターフェース装置３６を設置するだけで良いため、高価なサービス対応アダプターを使用したりデータ端末を交換する必要がなくなり、ハードウェアの追加を最小限に抑えることができる。
【００７７】
なお、図５のステップ２０８でＩＲ信号を検出した場合、第２の切替手段を直ちにＯＦＦとするのではなく、データ通信装置に外付電話機３８の呼出装置が備えられている場合、ＩＲ信号が検出されたときに呼出装置を起動させ、外付電話機３８のフックオフが検出されたときに第２の切替手段５２をＯＦＦとするようにしても良い。
【００７８】
また、図５のステップ２１４でモデム信号受信から所定時間Ｔ2 の経過を計測したが、発信電話番号通知サービス下の通信シーケンスでは、一次応答信号を送出した時点（本実施の形態ではステップ２１２で第１の切替手段５０をＯＮとしたタイミング）から０．１〜３秒程度でモデム信号が送出されることとなっている。従って、この０．１〜３秒及びモデム信号送出からＴ2 の待ちタイミングを考慮して、ステップ２１２の一次信号応答時から一定時間Ｔ4 以内に受信完了信号（本実施の形態ではステップ２１６で第１の切替手段をＯＦＦとして送出した信号）を送出すれば、上記擬似シーケンスを実行できることになる。このような判断基準を採用した場合、モデム信号の検出時点の判定を行わなくてすみ、処理の簡略化を図ることができる。
【００７９】
さらに、第２の実施の形態では、後位に接続された外付電話機３８が発信電話番号通知サービスに対応、非対応に係わらず適用可能である。本サービスに対応した端末を後位に接続して使用した場合、データ通信装置１０と外付電話機３８のいずれも通信不能となる事態を防止することができる。
【００８０】
（第３の実施の形態）
次に、第３の実施の形態を説明する。第３の実施の形態の構成は、第１の実施の形態と同様であるので、同一の符号を付して詳細な説明を省略する。但し、電話回線インターフェース装置３６には、フック検出手段５４の電源である２４Ｖ給電回路７２が備えられていない場合を扱う。すなわち、第２の切替手段５２をＯＮにすると、外付電話機３８の信号線はどこにも接続されずに開放される。
【００８１】
第３の実施の形態に係るデータ通信装置の第１の処理の流れを図６のフローチャートを用いて説明する。図６の処理は、外付電話機３８がＩＴＵ−Ｔ勧告Ｖ．２３に対応していない場合に発信電話番号通知サービス下において、継続条件▲１▼を満足させるものである。なお、図６のステップで図３のステップと同様の処理については同一のステップ番号を付して原則として説明を省略し、異なる処理のステップを関連する同一処理のステップと共に説明する。
【００８２】
図６のフローチャートが示すように、データ通信装置１０の電源がＯＮとなるとき（ステップ２００肯定判定）、上記各実施の形態のように第２の切替手段５２をＯＮとするのではなく、第２の切替手段５２をＯＦＦとする（ステップ２０３）。これにより、通話優先モードにおいて、電話回線と外付電話機３８とが接続され、２４Ｖ給電回路７２が無い場合でも外付電話機３８及びフック検出手段５４に回線からの電源が供給される。
【００８３】
次に、電話回線から電源供給されたフック検出手段５４がフックオフを検出したか否かを判定する（ステップ２０４）。フックオフが検出された場合（ステップ２０４肯定判定）、既に第２の切替手段５２がＯＦＦとされて外付電話機３８が電話回線と接続されるので、直ちに通話開始される（ステップ２４８）。
【００８４】
フックオフが検出されない場合（ステップ２０４否定判定）、１６Ｈｚ信号が検出されたとき（ステップ２０６肯定判定）、検出された１６Ｈｚ信号がＩＲ信号であるか否かが判定される（ステップ２０８）。
【００８５】
１６Ｈｚ信号がＩＲ信号でなく、ＣＡＲ信号の場合（ステップ２０８否定判定）、第２の切替手段５２を直ちにＯＮとする（ステップ２１１）。この場合、ＣＡＲ信号が外付電話機３８で受信されてＩＲ信号と誤認識されないように高速で切り替える必要がある。これにより、ＣＡＲ信号がカットされて外付電話機３８の誤動作が防止できる。そして、ステップ２０６で１６Ｈｚ信号が検出されたか否かを判定し、１６Ｈｚ信号が検出されない場合は、ステップ２０４でフックオフの検出を判定するが、この場合、フック検出手段５４へ電源が供給されていないので、常にフックオフは検出されずに否定判定となり、次の１６Ｈｚ信号（ＩＲ信号）を待機するのみとなる。
【００８６】
ＩＲ信号が検出された場合（ステップ２０８肯定判定）、第２の切替手段２４０をＯＦＦとして図３と全く同様の処理を実行する。
【００８７】
このように第３の実施の形態の第１例では、２４Ｖ給電回路７２を省略しても、フック検出手段によるフックオン、フックオフの検出を可能としたので、さらにハードウェアの増設を少なくすることができる。
【００８８】
ところで、第３の実施の形態に係る図６の処理は、第１の実施の形態に係る図３の処理に適用したものであるが、図７のフローチャートに示すように、第２の実施の形態に係る図５の処理にも適用することができる。
【００８９】
図７の処理は、データ通信装置１０がＩＴＵ−Ｔ勧告Ｖ．２３に対応していない場合に発信電話番号通知サービス下において、継続条件▲２▼を満足させるものである。なお、図７のステップで図５及び図６のステップと同様の処理については同一のステップ番号を付して原則として説明を省略し、異なる処理のステップを関連する同一処理のステップと共に説明する。
【００９０】
図７のフローチャートに示すように、データ通信装置１０の電源がＯＮとなるとき（ステップ２００肯定判定）、図６のように第２の切替手段５２をＯＦＦとする（ステップ２０３）。これにより、通話優先モードにおいて、電話回線と外付電話機３８とが接続され、２４Ｖ給電回路７２が無い場合でも外付電話機３８及びフック検出手段５４に回線からの電源が供給される。
【００９１】
そして、ＣＡＲ信号が検出されたときに（ステップ２０８否定判定）、第２の切替手段５２を直ちにＯＮとし（ステップ２１１）、図５に示したように、継続条件▲２▼を満たすデータ通信装置１０による擬似シーケンスを実行する（ステップ２１２〜２１６）。後続する処理は、図６と同様である。
【００９２】
このように第３の実施の形態の第２例においても、２４Ｖ給電回路７２を省略しても、フック検出手段によるフックオン、フックオフの検出を可能としたので、さらにハードウェアの増設を少なくすることができる。
【００９３】
（第４の実施の形態）
次に、第４の実施の形態を説明する。第４の実施の形態の構成は、第１の実施の形態と同様であるので、同一の符号を付して詳細な説明を省略する。なお、第４の実施の形態は、ユーザが直接、図１のパネル表示部１８のフックボタン１７を操作するときの対処方法を示したものである。
【００９４】
第４の実施の形態の処理の流れを図８のフローチャートを用いて説明する。
図８のフローチャートに示すように、まず前処理を実行する（ステップ３００）。この前処理は、図３〜図６のステップ２００及びステップ２０２に対応するものである。
【００９５】
次に、フック検出手段５４が外付電話機３８のフックオフを検出したか否かを判定する（ステップ３０２）。フックオフを検出した場合（ステップ３０２肯定判定）、通話処理を実行する（ステップ３１４）。この通話処理は、図３〜図６のステップ２４２〜ステップ２５２に対応するものである。
【００９６】
フックオフを検出しない場合（ステップ３０２否定判定）、ＣＡＲ信号を検出したか否かを判定する（ステップ３０４）。ＣＡＲ信号を検出しなかった場合（ステップ３０４否定判定）、再びステップ３０２に戻って同様の処理を繰り返す。
【００９７】
ＣＡＲ信号を検出した場合（ステップ３０４肯定判定）、ユーザがデータ通信装置１０のフックボタン１７を押下したときにＣＰＵ１２へ伝達されるフックオフ信号が検出されたか否かを判定する（ステップ３０８）。フックオフ信号が検出された場合（ステップ３０８肯定判定）、フックオフ信号を無視する（ステップ３１０）。すなわち、ユーザがデータ通信装置１０からの発呼等の目的でフックオフボタン１７を押下しても、ＣＡＲ信号を検出して外付電話機３８への呼出し信号を検出する前なので、データ通信装置からの発呼を禁止する。
【００９８】
そして、ＩＲ信号を検出したか否かを判定し（ステップ３１２）、ＩＲ信号がまだ検出されないときは（ステップ３１２否定判定）、再びステップ３０８に戻って同様の処理を繰り返す。ＩＲ信号が検出された場合（ステップ３１２肯定判定）、通話処理を実行する（ステップ３１４）。
【００９９】
このように第４の実施の形態では、データ通信装置１０がＣＡＲ信号を受信してからＩＲ信号を受信するまでの発信電話番号受信中にユーザが発呼等の目的でフックボタン１７を押下してデータ通信装置１０に対しフックオフの要求をしても、その要求を無視するので、外付電話機３８への発着と、データ通信装置１０からの発呼との衝突が避けられる。
【０１００】
なお、図８の処理は、図３〜図６の処理に適用可能である。
以上が本発明に係る各実施の形態であるが、上記例にのみ限定されるものではない。例えば、データ通信装置１０として、ファクシミリ以外には、データ通信を行うことが可能な装置、例えば通信機能を備えたパーソナルコンピュータ、データモデム装置、電話機などを適用することができる。また、後位に接続された外付電話機３８を上記のようなデータ通信可能な装置で構成することも可能である。
【０１０１】
さらに、電話回線インターフェース装置３６を単独のアダプタ装置で使用できるようにしても良い。この場合、電話回線インターフェース装置内部に図３〜図８の処理を実行するＣＰＵを内蔵する。
【０１０２】
さらに電話回線インターフェース装置において、発信電話番号通知サービス非対応の単一のデータ通信装置の通信不能を防止する装置として構成することもできる。この場合、第１の切替手段５０を省略し、電話回線が第２の切替手段のＯＦＦ側の出力端子に直接接続される。
【０１０３】
また、一般の電話回線以外の電話回線にも接続できるデータ通信装置に本発明を適用したり、ダイヤルインサービスに対応させることもできる。
【０１０４】
なお、通信シーケンスの変更、例えばＴ1 、Ｔ2 などの時間の変更に伴って、上記実施の形態における処理の内容を変更することはいうもでもない。
【０１０５】
【発明の効果】
以上説明したように、請求項１及び請求項２の発明によれば、発信電話番号通知サービスに対応していない後位の端末優位の場合、信号検出手段により呼出し信号が検出されたときのみ受信データが後位の端末に入力されるように第２の切替手段を切り替えるようにしたので、発信電話番号通知サービスに対応していない後位の端末に起動信号が入力されて通信不能となるおそれを回避できると共に、第２の切替手段は簡単な構成で実現できるため、ハードウェアの追加変更を抑えることができる、という効果が得られる。
【０１０６】
また、請求項３の発明によれば、発信電話番号通知サービスに対応していないデータ通信装置において、起動信号及び発信電話番号の情報の送出に応答して擬似的な通信シーケンスを実行するようにしたので、後位の端末と共に通信不能を防止することができると共に、第１及び第２の切替手段は簡単な構成で実現できるため、ハードウェアの追加変更を抑えることができる、という効果が得られる。
【０１０７】
さらに、請求項４の発明によれば、後位の端末優位の場合、受信データが後位の端末に入力されるように第２の切替手段を切り替え、起動信号を検出したとき直ちに受信データが後位の端末に入力されないように第２の切替手段を切り替え、呼出し信号が検出されたとき受信データが後位の端末に入力されるように第２の切替手段を切り替えるようにしたので、発信電話番号通知サービスに対応していない後位の端末に起動信号が入力されて通信不能となるおそれを回避でき、第２の切替手段は簡単な構成で実現できると共に後位の端末は電話回線から供給される電源を利用することができるため、ハードウェアの追加変更をさらに抑えることができる、という効果が得られる。
【０１０８】
請求項５の発明によれば、発信電話番号通知サービスに対応していないデータ通信装置において、起動信号及び発信電話番号の情報の送出に応答して擬似的な通信シーケンスを実行するようにし、さらに電話回線からの供給される電源を利用できるようにしたので、後位の端末と共に通信不能を防止することができると共に、ハードウェアの追加変更をさらに抑えることができる、という効果が得られる。
【図面の簡単な説明】
【図１】本発明の第１の実施の形態に係るデータ通信装置のシステム構成を示すブロック図である。
【図２】第１の実施の形態に係るデータ通信装置に備えられた電話回線インターフェース装置の詳細な構成を示すブロック図である。
【図３】第１の実施の形態に係るデータ通信装置の第１の処理の流れを示すフローチャートである。
【図４】第１の実施の形態に係るデータ通信装置の第２の処理の流れを示すフローチャートである。
【図５】第２の実施の形態に係るデータ通信装置の処理の流れを示すフローチャートである。
【図６】第３の実施の形態に係るデータ通信装置の第１の処理の流れを示すフローチャートである。
【図７】第３の実施の形態に係るデータ通信装置の第２の処理の流れを示すフローチャートである。
【図８】第４の実施の形態に係るデータ通信装置の処理の流れを示すフローチャートである。
【図９】発信電話番号通知サービスを実施した場合の交換機と本サービスに対応している受信側端末との通信の流れを示す図であって、（ａ）は監視状態、（ｂ）はＣＡＲ信号送出、（ｃ）はＣＡＲ信号に対する１次応答信号送出、（ｄ）は発信電話情報送出、（ｅ）は発信電話情報に対する受信完了信号送出、（ｇ）はＩＲ信号送出、（ｈ）はＩＲ信号に対する２次応答信号送出、（ｉ）は通信（通話）開始の状態を各々示す図である。
【図１０】発信電話番号通知サービスを実施した場合の交換機と本サービスに対応している受信側端末との通信シーケンスを示す図である。
【符号の説明】
１０    データ通信装置
１２    ＣＰＵ
１８    パネル表示部
２４    モデム
３６    電話回線インターフェース装置
３８    外付電話機
５０    第１の切替手段
５２    第２の切替手段
５４    フック検出手段
６０    信号検出手段
７２    ２４Ｖ給電回路
【図１】
0003769849.tif 000002
【図２】
0003769849.tif 000003
【図３】
0003769849.tif 000004
【図４】
0003769849.tif 000005
【図５】
0003769849.tif 000006
【図６】
0003769849.tif 000007
【図７】
0003769849.tif 000008
【図８】
0003769849.tif 000009
【図９】
0003769849.tif 000010
【図１０】
0003769849.tif 000011